(57)【特許請求の範囲】
【請求項１】
光学的な指向軸を有する光学フィルムが３層以上積層されてなる光学フィルム積層体の製造方法であって、
長尺状に形成された第一の光学フィルムをその長手方向と交差する切断線で切断して第一光学フィルム片とし、剥離材層に粘着材層が積層されてなる長尺状の粘着フィルムの粘着剤層の上に該第一光学フィルム片を互いに隣接させつつ略帯状に配置して光学的な指向軸が長手方向と交差する第一フィルム層を形成する第一フィルム層形成工程と、
長尺状に形成された第二の光学フィルムをその長手方向と交差する切断線で切断して第二光学フィルム片とし、剥離材層に粘着材層が積層されてなる長尺状の粘着フィルムの粘着剤層の上に該第二光学フィルム片を互いに隣接させつつ略帯状に配置して光学的な指向軸が長手方向と交差する第二フィルム層を形成する第二フィルム層形成工程と、
前記剥離材層を剥離させることによって露出させた粘着剤層を介し、第三の光学フィルムからなる第三フィルム層、前記第一フィルム層及び前記第二フィルム層を積層する積層工程と、
積層した状態の第一乃至第三フィルム層を複数の光学フィルム積層体に切断する切断工程とを備えたことを特徴とする光学フィルム積層体の製造方法。
【請求項２】
前記粘着フィルム上に前記第一光学フィルム片を載置することにより長尺状に形成された第一フィルム層を、前記粘着フィルムとともにロール状に巻き取る第一フィルム層巻取り工程と、
前記粘着フィルム上に前記第二光学フィルム片を載置することにより長尺状に形成された第二フィルム層を、前記粘着フィルムとともにロール状に巻き取る第二フィルム層巻取り工程と、
ロール状に巻き取られた第一フィルム層及び第二フィルム層と、ロール状に巻き取られた前記第三フィルム層とをロールトゥーロールにより貼り合わせることで、前記第一乃至第三フィルム層を積層した状態とする連続貼合せ工程とを備えることを特徴とする請求項１記載の光学フィルム積層体の製造方法。
【請求項３】
前記第三の光学フィルムをロール原反から長手方向に送り出し、送り出された第三の光学フィルム上に前記第一光学フィルム片を載置することにより、前記第一フィルム層形成工程を実施し、
送り出された第三の光学フィルム上、又は形成された前記第一フィルム層上に、前記第二光学フィルム片を載置することにより、前記第二フィルム層形成工程を実施することを特徴とする請求項１記載の光学フィルム積層体の製造方法。
【請求項４】
前記第一の光学フィルムの長手方向と第一の光学フィルムの切断線との成す角度θ1及び前記第二の光学フィルムの長手方向と第二の光学フィルムの切断線との成す角度θ2の少なくとも何れか一方が、０°を超え３５°以下であることを特徴とする請求項１〜３の何れかに記載の光学フィルム積層体の製造方法。
【請求項５】
前記第一、第二及び第三の光学フィルムが、位相差フィルム、輝度向上フィルム又は偏光フィルムのうち何れかであることを特徴とする請求項１〜４の何れかに記載の光学フィルム積層体の製造方法。
【請求項６】
前記第一及び第二の光学フィルムのうち、何れか一方が位相差フィルムであり、他方が輝度向上フィルムであり、前記第三の光学フィルムが偏光フィルムであることを特徴とする請求項５記載の光学フィルム積層体の製造方法。
【発明の詳細な説明】
【技術分野】
【０００１】
本発明は、主に、光学フィルム積層体の製造方法に関し、より詳しくは、偏光フィルムや光学補償フィルム等の光学フィルムが３層以上積層されてなる光学フィルム積層体の製造方法に関する。
【背景技術】
【０００２】
近年、液晶表示装置においては、偏光フィルムのみならず、使用される液晶セルの複屈折性に起因した視認性の欠点を改善するべく、各種光学補償フィルムが用いられており、これら偏光フィルムや光学補償フィルムが積層されてなる光学フィルム積層体が、前記液晶表示装置の一部を構成している場合が多い。
【０００３】
ところで、上記光学フィルム積層体は、偏光フィルムや光学補償フィルムといった個々の光学フィルムがそれぞれ別々に作成された後、これを貼り合わせ、所定寸法及び所定形状に切断されて製造されるものであるところ、該光学フィルム積層体における特有の問題点として、各光学フィルムは個々に所定の光学的な指向軸を有しており、前記光学フィルム積層体を作成する際には、この各光学フィルムの光学的指向軸を所定の角度を成すようにして積層しなければならない点が挙げられる。
【０００４】
そして、このような光学フィルム積層体が液晶表示装置の一部材として使用される際には、該光学フィルム積層体を液晶表示装置の寸法及び形状に応じた寸法と形状に切断されるため、光学フィルム積層体の形状に対して、前記各光学フィルムの光学的指向軸が所定方向を向くように調整する必要がある。
【０００５】
例えば、偏光フィルムと２枚の位相差フィルムが積層され、矩形状に形成された液晶表示装置用の光学フィルム積層体を製造する場合には、前記偏光フィルムの吸収軸と、前記２枚の位相差フィルムの遅相軸２本との合計３本の光学的指向軸が、該光学フィルム積層体の矩形状の輪郭を成す一辺に対してそれぞれ所定の角度を成すように構成されなければならない。
【０００６】
従来、この種の光学フィルム積層体の製造方法としては、例えば、下記特許文献１のような方法が知られている。該特許文献１記載の方法は、図９及び図１０に示すように、長尺状に形成された一の光学フィルム１０１（例えば、位相差フィルム）と、長尺状に形成された他の光学フィルム１０２（例えば、偏光フィルム）とを積層して積層中間体１０３とし、その後、該積層中間体１０３を所定形状（例えば、微少な矩形状）のチップ１０４に切断する方法である。ここで、前記一の光学フィルム１０１と他の光学フィルム１０２とを積層する際には、前記一の光学フィルム１０１と他の光学フィルム１０２とが所定角度、即ち、位相差フィルム１０１の遅相軸Ｘと偏光フィルムの吸収軸Ｙとが所定角度を成すように積層することを考慮し、重なった両フィルムの端部が一致するように前記一の光学フィルム１０１を平行四辺形状の切断片１０１ａに切断しておくものである。尚、本明細書において、該方法を便宜的に従来型Ａ方式と称することとする。
【０００７】
【特許文献１】特開平１１−２３１１２９号公報
【０００８】
このような従来型Ａ方式の製造方法は、それ以前の従来方法、即ち、一の光学フィルムと他の光学フィルムとを別々に、チップ状又は該チップが所定数含まれてなる該チップの相似形状に切断した後、チップ状のフィルム同士を貼り合わせ、又は貼り合わせた後に各チップに切断する方法と比べ、作業効率を改善しうるものである。
【０００９】
また、従来型Ａ方式を改良した光学フィルム積層体の製造方法として、以下のような方法も検討されている。つまり、図１１及び図１２に示すように、長尺状に形成された一の光学フィルム２０１（例えば、位相差フィルム）と、長尺状に形成された他の光学フィルム２０２（例えば、偏光フィルム）とを積層して積層中間体２０３とし、その後、該積層中間体２０３を所定形状（例えば、微少な矩形状）のチップ２０４に切断する方法であり、前記一の光学フィルム２０１と他の光学フィルム２０２とを積層する際に、前記一の光学フィルム２０１を予め所定長さの略矩形状切断片２０１ａに切断しておき、該切断片２０１ａを他の光学フィルム２０２上に所定角度で、即ち、位相差フィルム２０１の遅相軸Ｘと偏光フィルムの吸収軸Ｙとが所定角度を成すようにして積層し、他の光学フィルムからはみ出した一の光学フィルムの一部分を切断して未積層部分に移動させて積層することによって積層中間体２０３とし、さらに該積層中間体２０３を微少な矩形状のチップ２０４に切断するものである。尚、本明細書において、該方法を便宜的に従来型Ｂ方式と称することとする。
【００１０】
斯かる従来型Ｂ方式は、一の光学フィルムの長手方向と他の光学フィルムの長手方向との積層角度が浅い場合に、前記従来型Ａ方式においては極めて長い平行四辺形状となるように一の光学フィルムを切断しなければならず、そのような切断作業及び切断後のフィルムの取扱いが困難となることに鑑みてなされたものである。つまり、該従来型Ｂ方式では、一の光学フィルムを、他の光学フィルムとの積層角度を考慮することなく略矩形状に切断するようにしたことにより、一の光学フィルムの切断作業及び切断後のフィルム切断片の取扱いを容易にしつつ、積層によってはみ出した部分についても有効活用して歩留まりの改善を図るものである。
【発明の開示】
【発明が解決しようとする課題】
【００１１】
しかしながら、光学フィルムを３層以上積層して光学フィルム積層体を作成する場合には、上述のような従来型Ａ方法や従来型Ｂ方式では、生産効率が悪い上に、歩留まりも低下しやすいという問題がある。
【００１２】
例えば、従来の方法によって光学フィルムを３層積層して光学フィルム積層体を作成する場合、先ず、第一の光学フィルムを切断し、その切断片を第二の光学フィルムに貼り合わせて２層の光学フィルムからなる積層中間体とし、さらに、この２層の積層中間体を第二の光学フィルムから切断して切断片とし、その切断片を第三の光学フィルムに貼り合わせ、３層の光学フィルムからなる積層中間体とした上で、該３層の積層中間体から最終的なチップを切り出す必要がある。
つまり、３層の積層中間体を作成する際には、その前段において必ず２層の積層中間体を作成し且つそれを切断して切断片とする必要があるため、使用する光学フィルムの原反幅や該光学フィルムの積層角度等によって、切断片の形状や大きさがまちまちとなり、３層の積層中間体を作成した場合に３層のうち何れかの光学フィルムが積層されない部分が生じてしまい、面積歩留まりが悪化する場合がある。このような問題は、光学フィルムの積層枚数が増える程、より一層顕著となる。
【００１３】
また、３層の積層中間体を作成する際に、２層の積層中間体の切断片を用いて貼り合わせを行わなければならず、貼り合わせ作業が困難且つ煩雑になるという問題があり、このような問題も、光学フィルムの積層枚数が増える程、より一層顕著となる。
【００１４】
本発明は、このような従来技術の問題点に鑑みてなされたものであり、光学的な指向軸が所定角度を成すようにして３層以上の光学フィルムが積層されてなる光学フィルム積層体を製造する場合において、使用する光学フィルムの面積歩留を向上させ、また、作業性を向上させることを一の目的とする。
【課題を解決するための手段】
【００１５】
本発明は、光学的な指向軸を有する光学フィルムが３層以上積層されてなる光学フィルム積層体の製造方法であって、長尺状に形成された第一の光学フィルムをその長手方向と交差する切断線で切断して第一光学フィルム片とし、剥離材層に粘着材層が積層されてなる長尺状の粘着フィルムの粘着剤層の上に該第一光学フィルム片を互いに隣接させつつ略帯状に配置して光学的な指向軸が長手方向と交差する第一フィルム層を形成する第一フィルム層形成工程と、長尺状に形成された第二の光学フィルムをその長手方向と交差する切断線で切断して第二光学フィルム片とし、剥離材層に粘着材層が積層されてなる長尺状の粘着フィルムの粘着剤層の上に該第二光学フィルム片を互いに隣接させつつ略帯状に配置して光学的な指向軸が長手方向と交差する第二フィルム層を形成する第二フィルム層形成工程と、前記剥離材層を剥離させることによって露出させた粘着剤層を介し、第三の光学フィルムからなる第三フィルム層、前記第一フィルム層及び前記第二フィルム層を積層する積層工程と、積層した状態の第一乃至第三フィルム層を複数の光学フィルム積層体に切断する切断工程とを備えたことを特徴とする光学フィルム積層体の製造方法を提供する。
【００１６】
斯かる構成による本発明の光学フィルム積層体の製造方法によれば、光学フィルムが切断されてなる光学フィルム片を互いに隣接させつつ略帯状に配置して光学的な指向軸が長手方向と交差するフィルム層を形成し、そのようなフィルム層が積層された状態で、複数の光学フィルム積層体（即ち、製品）に切断するようにしたので、複数のフィルム層を積層する際であっても光学フィルム片の未積層部分が生じにくく、面積歩留まりが向上するという効果がある。
また、一のフィルム層を構成する光学フィルム片は、他のフィルム層を構成する光学フィルム片との積層体として貼り合わせを行う必要がなく、しかも、他のフィルム層を構成する光学フィルム片との相互の位置関係を考慮することなく配置することができる。また、得られた積層体は帯状となる。従って、光学フィルム積層体を製造する際の作業性が大幅に向上するという効果がある。
さらに、剥離材層に粘着材層が積層されてなる長尺状の粘着フィルム上に、前記第一光学フィルム片又は前記第二光学フィルム片をそれぞれ載置することにより、前記第一フィルム層形成工程又は前記第二フィルム層形成工程が極めて簡略なものとなる。また、これによって得られた第一フィルム層や第二フィルム層は、長尺状に形成され且つ剥離材層及び粘着材層を備えたものとなるため、剥離材層を剥離させて粘着材層を露出させることにより、積層工程において他のフィルム層と容易に貼り合わせることが可能となる。
【００１９】
また、本発明は、前記光学フィルム積層体の製造方法において、前記粘着フィルム上に前記第一光学フィルム片を載置することにより長尺状に形成された第一フィルム層を、前記粘着フィルムとともにロール状に巻き取る第一フィルム層巻取り工程と、前記粘着フィルム上に前記第二光学フィルム片を載置することにより長尺状に形成された第二フィルム層を、前記粘着フィルムとともにロール状に巻き取る第二フィルム層巻取り工程と、ロール状に巻き取られた第一フィルム層及び第二フィルム層と、ロール状に巻き取られた前記第三フィルム層とをロールトゥーロールにより貼り合わせることで、前記第一乃至第三フィルム層を積層した状態とする連続貼合せ工程とを備えることを特徴とする光学フィルム積層体の製造方法を提供する。
【００２０】
このような第一フィルム層巻取り工程、及び第二フィルム層巻取り工程を実施することにより、第一フィルム層及び第二フィルム層をロール状態にして取り扱うことが可能となるため、作成したフィルム層の保管や取扱いがより一層簡便となる。
【００２１】
さらに、本発明は、前記第三の光学フィルムをロール原反より長手方向に送り出し、送り出された第三の光学フィルム上に前記第一光学フィルム片を載置することにより、前記第一フィルム層形成工程を実施し、繰り出された第三の光学フィルム上、又は形成された前記第一フィルム層上に、前記第二光学フィルム片を載置することにより、前記第二フィルム層形成工程を実施することを特徴とする光学フィルム積層体の製造方法を提供する。
【００２２】
斯かる製造方法によれば、第三の光学フィルムをベースとして第一フィルム層、及び第二フィルム層を形成できるため、これら第一フィルム層及び第二フィルム層の形成と同時に３層のフィルム層が積層された状態となり、改めてフィルム層同士を貼り合わせることなく、次段の切断工程へと移行することができる。
【発明の効果】
【００２３】
以上のように、本発明に係る光学フィルム積層体の製造方法によれば、光学的な指向軸を有する３層以上の光学フィルムが、その指向軸を所定方向に配向しつつ積層されてなる光学フィルム積層体を製造する場合において、使用する光学フィルムの面積歩留を向上させ、また、作業性を向上させることが可能となる。
【発明を実施するための最良の形態】
【００２４】
図１は、本発明に係る光学フィルム積層体の製造方法に関し、その第一実施形態を示したフロー図である。第一実施形態は、光学的な指向軸を有する光学フィルムが３層以上積層されてなる光学フィルム積層体チップ７０を製造する方法であり、長尺状に形成された第一の光学フィルム１０を用いて第一フィルム層を形成する第一フィルム層形成工程１と、長尺状に形成された第二の光学フィルム２０を用いて第二フィルム層を形成する第二フィルム層形成工程２と、第三の光学フィルム３０からなる第三フィルム層、前記第一フィルム層１２、及び前記第二フィルム層２２を積層するフィルム層積層工程５と、これら第一乃至第三のフィルム層が積層された積層体を複数の光学フィルム積層体チップ７０に切断する切断工程６とを備えたものである。
【００２５】
第一乃至第三の光学フィルムとしては、例えば、光学的な指向軸を有する公知の位相差フィルムや輝度向上フィルム、偏光フィルム等が用いられるが、本実施形態においては、第一及び第二の光学フィルムとして光学的な指向軸としてフィルムの長辺と平行な遅相軸（図中「Ｘ」および「Ｙ」で示す）を有する位相差フィルムを用い、第三の光学フィルムとしてフィルムの長辺と平行な吸収軸（図中「Ｚ」で示す）が形成されてなる偏光フィルムを用いた場合について説明する。
【００２６】
前記第一フィルム層形成工程１は、長尺状に形成された第一の光学フィルムを、その長手方向と交差する切断線で切断して第一光学フィルム片とし、該第一光学フィルム片を互いに隣接させつつ略帯状に配置して光学的な指向軸が長手方向と交差する第一フィルム層を形成するものである。第一実施形態においては、該第一光学フィルム片を互いに隣接させつつ略帯状に配置する際、剥離材層に粘着材層が積層されてなる長尺状の第一粘着フィルムを用い、該粘着材層を介して該粘着フィルム上に前記第一光学フィルム片を載置することにより行う。
【００２７】
具体的には、図２に示すように、第一の光学フィルム１０の長手方向に対して所定の角度θ１を成す切断線であって、且つ、その間隔が第一粘着フィルム５１の幅ｄと一致するような切断線１１１により、第一光学フィルム１０を順次切断し、得られた第一光学フィルム片１１を、互いに隣接させて帯状となるように、且つ、光学的な指向軸Ｘが該帯の長手方向と交差するように、第一粘着フィルム５１上に配置する。
【００２８】
ここで、前記第一粘着フィルム５１は、剥離材層と粘着材層とを備えたものであり、該粘着材層の粘着力によって前記第一光学フィルム片１１を貼り付けうる構成となっている。該第一粘着フィルム５１としては、使用前において、他の剥離材層を更に備えており、粘着材層５１１が剥離材層によって表裏両面を覆われた状態のものを使用することができる。
【００２９】
具体的には、図３に示したように、粘着材層５１１の表裏両面が剥離材層５１２及び剥離材層５１３により覆われ、且つロール状に巻回されてなる第一粘着フィルム５１を用い、一方の剥離材層５１３を前記第一光学フィルム片１１の貼り付け工程の前段で剥離させることによって粘着材層５１１を露出させ、露出させた粘着材層５１１上に、上述のようにして第一光学フィルム片１１を順次貼り付けることによって第一フィルム層１２を形成し、さらに、該第一フィルム層１２の上面に、粘着材層４１１と表面保護層４１２とを備えた表面保護フィルム４１を張り合わせる方法を採用することができる。
【００３０】
前記第一光学フィルム１０の長手方向に対する切断線１１１の角度θ１は、前記第一粘着フィルム５１上に形成される第一フィルム層１２の光学的な指向軸Ｘの角度、延いては光学フィルム積層体チップ７０における光学的な指向軸Ｘの角度を決定するものであるため、他のフィルム層を構成する光学フィルムの指向軸との相対的な関係を考慮し、作成する光学フィルム積層体チップ７０の用途等に応じて適宜調整される。
【００３１】
前記第二フィルム層形成工程２は、前記第一フィルム層形成工程１と同様の手順によって行うことができ、図４に示したように、第二粘着フィルム５２上に第二光学フィルム片２１が帯状に配列されてなる第二フィルム層２２を作成する。
但し、図４に示したように、第二の光学フィルム２０の長手方向に対する切断線の角度θ２は、前記第一の光学フィルム１０の長手方向に対する切断線の角度θ１とは異なる角度とすることができ、これにより、光学的な指向軸がフィルム層毎に所望の角度を成すように構成された光学フィルム積層体チップ７０を得ることが可能となる。
また、図４に示したように、第二粘着フィルム５２上に第二光学フィルム片２１を貼り付けた際に、第二粘着フィルム５２よりもはみ出す部分（図４中、破線で示す）が生じた場合、この部分を切断して第二光学フィルム片２１の未積層部分へと貼り付けるようにしてもよい。
【００３２】
こうして、第一フィルム層形成工程１によって第一粘着フィルム５１上に形成された第一フィルム層１２を得ることができ、第二フィルム層形成工程２によって第二粘着フィルム５２上に形成された第二フィルム層２２を得ることができる。また、図２乃至図４に示したように、得られた第一フィルム層１２及び第二フィルム層２２は、それぞれ、表面保護フィルム４１、４２がその上面に積層されており、ロール状に巻回した状態で一時的に保管することも可能となる。
【００３３】
フィルム層積層工程５は、上述のようにして得られた第一フィルム層１２、及び第二フィルム層２２を、第三の光学フィルム３０からなる第三フィルム層と積層する工程である。本実施形態では、第三フィルム層となる第三の光学フィルム３０として、光学的な指向軸を有する第三の光学フィルム３０が長尺状に形成され且つロール状に巻回されたものを用い、斯かる第三の光学フィルム３０を送り出しながら、上記第一及び第二のフィルム層と、ロールトゥーロールで貼り合わせることにより、該フィルム層積層工程５を実施する場合について説明する。
【００３４】
具体的には、図５に示したように、表面保護層４３２と粘着材層４３１とを備えた第三表面保護フィルム４３が上面に積層され、剥離材層５３２と粘着材層５３１とを備えた第三粘着フィルム５３が下面に積層された第三フィルム層３２を、原反ロールからフィルム長手方向に送り出し、該第三フィルム層３２の上面が露出するように、前記第三表面保護フィルム４３を剥離する。
一方、表面保護層４１２と粘着材層４１１とを備えた第一表面保護フィルム４１が上面に積層され、剥離材層５１２と粘着材層５１１とを備えた第一粘着フィルム５１が下面に積層された第一フィルム層１２を、同様にして原反ロールからフィルム長手方向に送り出し、該第一フィルム層１２に粘着材層５１１を残した状態で剥離材層５１２のみを剥離する。
そして、表面に露出した前記粘着材層５１１を介し、前記第三フィルム層３２と、前記第一フィルム層１２とを貼り合わせ、さらに、第一フィルム層１２の上面に積層された前記第一表面保護フィルム４１を剥離し、該第一フィルム層１２の上面を露出させる。
【００３５】
次に、前記第一フィルム層１２の場合と同様に、表面保護層４２２と粘着材層４２１とを備えた第二表面保護フィルム４２が上面に積層され、剥離材層５２２と粘着材層５２１とを備えた第二粘着フィルム５２が下面に積層された第二フィルム層２２を、原反ロールからフィルム長手方向に送り出し、該第二フィルム層２２に粘着材層５２１を残した状態で剥離材層５２２のみを剥離する。
そして、表面に露出した前記粘着材層５２１を介し、前記第二フィルム層２２と、前記第一フィルム層１２とを貼り合わせる。
【００３６】
こうして、下から順に、第三剥離材層５３２、粘着材層５３１、第三フィルム層３２、粘着材層５１１、第一フィルム層１２、粘着材層５２１、第二フィルム層２２、粘着材層４２１、及び表面保護層４２２が積層されてなる積層体６０が作成される。
該積層工程に用いられる第一乃至第三の各フィルム層は長尺状であるため、該フィルム層積層工程５により作成された積層体６０も長尺状として得られることから、該積層体６０も、必要に応じて適宜ロール状に巻回した状態で保管することが可能となる。
【００３７】
切断工程６は、図６に示したように、これら第一乃至第三のフィルム層が積層されてなる積層体６０を、所望の形状および寸法の光学フィルム積層体チップ７０に切断する工程である。切断によって作成される光学フィルム積層体チップ７０の形状および寸法は特に限定されるものではなく、用途に応じて適宜設定することができる。
【００３８】
ここで、本実施形態において切断対象となる積層体６０に着目すると、図６に示したように、該積層体６０を構成する第一フィルム層１２及び第二フィルム層２２は、何れも第三フィルム層１３と同じく帯状に形成されたものであるため、該切断工程６に於いては、積層体６０の全領域が無駄なく光学フィルム積層体チップ７０の作成に使用されることとなる。
つまり、従来の積層体チップの製造方法においては、３層以上の光学フィルムを積層した際に、その積層体の周辺部分には、何れかの光学フィルムが存在しない領域が生じていたため、その領域は積層体チップの作成には使用できず、使用する光学フィルムの歩留まり低下を招く要因となっていたところ、本実施形態の方法によれば、積層体６０の全領域を使用して光学フィルム積層体チップ７０を作成できることとなるため、光学フィルムの歩留まりを大幅に向上させることが可能となる。
【００３９】
但し、本実施形態において、得られた光学フィルム積層体チップ７０に第一光学フィルム片１１の接合部分、即ち、繋ぎ目となる部分（図６中、破線で示す）又は第二光学フィルム片２１の接合部分、即ち、繋ぎ目となる部分（図６中、一点鎖線で示す）が存在する場合、該チップ７０は任意の除去手段により除去することができる。また、そのような光学フィルム片の接合部分（繋ぎ目）が存在しない領域のみを対象として切断工程６を実施し、接合部分のない光学フィルム積層体チップ７０のみを作成するようにしてもよい。
【００４０】
前記切断工程６における具体的な切断方法は特に限定されるものではなく、例えば、トムソン刃等を用いて積層体６０を打ち抜く方法や、カッター、レーザー光、水圧等を利用して積層体６０を切断する方法など、従来公知の適宜な方法を採用することができる。
【００４１】
前記フィルム層積層工程によって得られた光学フィルム積層体チップ７０は、図６に示したように、第一光学フィルム片１１が所定方向に配列されてなる第一フィルム層１２と、第二光学フィルム片が所定方向に配列されてなる第二フィルム層２２と、第三光学フィルムからなる第三フィルム層３２とが積層され、且つ、各フィルム層の光学的な指向軸Ｘ、Ｙ、及びＺが互いに所定の角度を成して配向したものとなる。
【００４２】
本実施形態に係る光学フィルム積層体の製造方法によれば、光学的な指向軸が所定角度に配向されてなる第一フィルム層及び第二フィルム層を複数種類作成し、これらをロール状に巻回して保管しておくことが可能となる。従って、光学フィルム積層体の製造に際しては、必要な製品仕様に応じて予め作成しておいた複数のロール原反から適宜フィルム層を選択し、積層工程と切断工程のみを実施することによって光学フィルム積層体を速やかに製造することが可能となる。
また、各フィルム層をロール原反として取り扱えるため、枚様体として保管等する場合と比較して作業性が向上することとなる。
【００４３】
また、本実施形態によれば、フィルム層積層工程によって第一乃至第三のフィルム層が積層されてなる積層体６０も帯状に形成されたものとなるため、ロール状に巻回して保管しておくことが可能となり、その取り扱いにおける作業性も向上することとなる。
【００４４】
尚、本実施形態に於いては、第一及び第二フィルム層のみを所定方向に切断した後、これを帯状に配置して第一及び第二フィルム層としたが、本発明はこれに限定されるものではない。
即ち、第三光学フィルム３０を、第一及び第二フィルム層と同様に、所定方向に切断した後これを帯状に隣接配置して第三フィルム層としてもよく、或いは、第一及び第二フィルム層に加えて他の光学フィルムを用い、第一フィルム層等と同様に所定方向に切断した後これを帯状に配置して、新たなフィルム層として設けてもよい。
また、フィルム層の積層順序についても、適宜変更することが可能となる。
【００４５】
次に、本発明に係る光学フィルム積層体の製造方法に関し、その参考実施形態を説明する。尚、前記第一実施形態と同じ構成については、その符号を援用するとともに説明を省略し、第一実施形態と異なる点のみを説明する。
【００４６】
該参考実施形態の光学フィルム積層体の製造方法は、長尺状に形成された第一の光学フィルム１０を用いて第一フィルム層１２を形成する際、第三の光学フィルム３０からなる第三フィルム層３２上に該第一フィルム層１２を形成するようにした第一フィルム層形成工程１’と、長尺状に形成された第二の光学フィルム２０を用いて第二フィルム層２２を形成する際、前記第一フィルム層形成工程１により形成された第一フィルム層１２上に該第二フィルム層２２を形成するようにした第二フィルム層形成工程２’と、これら第一乃至第三のフィルム層が積層された積層体６０を複数の光学フィルム積層体チップ７０に切断する切断工程６とを備えたものである。
【００４７】
つまり、本参考実施形態に係る光学フィルム積層体の製造方法は、図８に示したように、第一実施形態のように粘着フィルム上でフィルム層を形成するのではなく、第三の光学フィルム３０からなる第三フィルム層３２上に、直接第一光学フィルム片１１を載置することにより、該第一光学フィルム片１１を互いに隣接させつつ略帯状に配置して光学的な指向軸Ｘが長手方向と交差する第一フィルム層１２を形成するものである。
また、第二フィルム層２２についても同様であり、粘着フィルム上でフィルム層を形成するのではなく、第一フィルム層１２上で第二フィルム層２２を形成するものである。
尚、光学フィルム同士の貼り合わせは、粘着材層（図示せず）を介して行われる。
【００４８】
第一フィルム層形成工程１’及び第二フィルム層形成工程２’を経て得られた積層体６０は、前記第一実施形態と同様の構成を備えたものとなり、従って、切断工程６も、前記第一実施形態と同様にして行うことができる。
つまり、該積層体６０を構成する第一フィルム層１２及び第二フィルム層２２は、何れも第三フィルム層１３と同じく帯状に形成されたものとなり、該切断工程６に於いては、積層体６０の全領域が無駄なく光学フィルム積層体チップ７０の作成に使用されることとなる。よって、本実施形態の方法によれば、積層体６０の全領域を使用して光学フィルム積層体チップ７０を作成できることとなるため、光学フィルムの歩留まりを大幅に向上させうることとなる。
【実施例】
【００４９】
本発明に係る光学フィルム積層体の製造方法によって光学フィルム積層体を作成した場合（実施例）と、従来型Ａ方式と従来型Ｂ方式を両方採用して光学フィルム積層体を作成した場合（比較例１）と、光学フィルムを、それぞれチップが所定数含まれてなるチップの相似形状に切断し、これらを貼り合わせた後、チップに切断する方法（比較例２）とについて、使用する光学フィルムの歩留まりをシミュレーションによって計算した。
【００５０】
（計算例１）
第一光学フィルム及び第二光学フィルムとして幅１１５０ｍｍの位相差フィルム、第三光学フィルムとして幅１１８０ｍｍの偏光フィルムを用い、これらを積層して長さ３０ｍｍ、幅４０ｍｍの積層体チップ（３層品）を作成する場合について計算した。
尚、第一光学フィルムたる位相差フィルムの遅相軸、第二光学フィルムたる位相差フィルムの遅相軸、及び第三光学フィルムたる偏光フィルムの吸収軸は、積層体チップの長辺に対し、それぞれ４５°、１０５°及び１２０°となるように設定した。
使用した第一乃至第三光学フィルムの面積歩留まり（％）を求めるとともに、それらの平均値を求め、各方法による歩留まりとした。結果を表１に示す。
【００５１】
【表１】
0005221164.tif 000002
【００５２】
（計算例２）
第一光学フィルム乃至第三光学フィルムとして、それぞれ幅８２０ｍｍの位相差フィルム、幅１０９０ｍｍの位相差フィルム、及び幅１２５０ｍｍの位相差フィルムを用い、第四光学フィルムとして幅１１８５ｍｍの偏光フィルムを用い、これらを積層して長さ３０ｍｍ、幅４０ｍｍの積層体チップ（４層品）を作成する場合について計算した。
尚、第一光学フィルムたる位相差フィルムの遅相軸、第二光学フィルムたる位相差フィルムの遅相軸、第三光学フィルムたる位相差フィルムの遅相軸、及び第四光学フィルムたる偏光フィルムの吸収軸は、積層体チップの長辺に対し、それぞれ４５°、１０５°、１２０°及び３０°となるように設定した。
使用した第一乃至第四光学フィルムの面積歩留まり（％）を求めるとともに、それらの平均値を求め、各方法による歩留まりとした。結果を表２に示す。
【００５３】
【表２】
0005221164.tif 000003
【００５４】
表１及び表２に示したように、本発明の実施例では、従来の方法と比べて使用する光学フィルムの面積歩留まりが改善されていることが認められる。
【図面の簡単な説明】
【００５５】
【図１】第一実施形態に係る光学フィルム積層体の製造方法を示したフロー図。
【図２】第一実施形態に係る光学フィルム積層体の製造方法において、第一の光学フィルムを用いて第一フィルム層を形成する工程を示した図。
【図３】第一実施形態に係る光学フィルム積層体の製造方法において、粘着材層が剥離材層によって表裏両面を覆われてなる粘着フィルムを用いて第一フィルム層を形成する工程を示した図。
【図４】第一実施形態に係る光学フィルム積層体の製造方法において、第二フィルム層を形成する工程を示した図。
【図５】第一実施形態に係る光学フィルム積層体の製造方法において、第一乃至第三フィルム層を積層する積層工程を示した図。
【図６】第一実施形態に係る光学フィルム積層体の製造方法において、積層工程により得られた積層体を示した平面図。
【図７】参考実施形態に係る光学フィルム積層体の製造方法を示したフロー図。
【図８】参考実施形態に係る光学フィルム積層体の製造方法において、第一フィルム層を形成する工程、及び第二フィルム層を形成する工程を示した図。
【図９】従来型Ａ方式の製造方法において、一の光学フィルム１０１を切断する工程、及び切断された切断片１０１ａを他の光学フィルム１０２に積層し、積層中間体１０３とする工程を示した概念図。
【図１０】従来型Ａ方式の製造方法において、積層中間体１０３を切断して、所定形状の光学フィルム積層体１０４とする工程を示した概念図。
【図１１】従来型Ｂ方式の製造方法において、一の光学フィルム２０１を切断する工程、及び切断された切断片２０１ａを他の光学フィルム２０２に積層し、積層中間体２０３とする工程を示した概念図。
【図１２】従来型Ｂ方式の製造方法において、積層中間体２０３を切断して、所定形状の光学フィルム積層体２０４とする工程を示した概念図。
【符号の説明】
【００５６】
１、１’    第一フィルム層形成工程
２、２’    第二フィルム層形成工程
５          フィルム層積層工程
６          切断工程
１０        第一の光学フィルム
１１        第一光学フィルム片
１２        第一フィルム層
２０        第二の光学フィルム
２１        第二光学フィルム片
２２        第二フィルム層
３０        第三の光学フィルム
３２        第三フィルム層
４１        第一表面保護フィルム
４２        第二表面保護フィルム
４３        第三表面保護フィルム
５１        第一粘着フィルム
５２        第二粘着フィルム
５３        第三粘着フィルム
６０        積層体
７０        光学フィルム積層体チップ
４１１、４２１、４３１      粘着材層
４１２、４２２、４３２      表面保護層
５１１、５２１、５３１      粘着材層
５１２、５２２、５３２      剥離材層
Ｘ      第一の光学フィルム（位相差フィルム）における光学的指向軸（遅相軸）
Ｙ      第二の光学フィルム（位相差フィルム）における光学的指向軸（遅相軸）
Ｚ      第三の光学フィルム（偏光フィルム）における光学的指向軸（吸収軸）
【図１】
0005221164.tif 000004
【図２】
0005221164.tif 000005
【図３】
0005221164.tif 000006
【図４】
0005221164.tif 000007
【図５】
0005221164.tif 000008
【図６】
0005221164.tif 000009
【図７】
0005221164.tif 000010
【図８】
0005221164.tif 000011
【図９】
0005221164.tif 000012
【図１０】
0005221164.tif 000013
【図１１】
0005221164.tif 000014
【図１２】
0005221164.tif 000015